(57)【特許請求の範囲】
【請求項１】
複数のコンタクトと、前記コンタクトを第１方向に並べて保持する保持部材と、前記第１方向において互いに離間するように前記保持部材に保持された一対のアーム部材とを備えたカードエッジコネクタであって、
前記アーム部材の夫々は、前記第１方向と直交する第２方向に延びており、且つ、前記カードエッジコネクタの取付対象に固定される固定部と、前記固定部と連続し且つ弾性を有するバネ部とを備えており、
前記固定部は、前記取付対象に取り付けられる被取付部を備えており、
前記固定部には、被当接部が設けられており、
前記バネ部は、前記第１方向外側に向かって開くことのできるように形成されており、
前記バネ部には、カードと前記カードエッジコネクタとの接続状態において前記カードのサイドエッジに係止するラッチと、前記カードエッジコネクタと接続した前記カードが前記第１方向及び前記第２方向の双方に直交する第３方向に前記ラッチを押圧して移動させようとしたときに前記第３方向において前記被当接部に当接して前記ラッチの移動を抑制する当接部とが設けられており、
前記固定部は、前記バネ部と連続する固定主部と、前記被取付部と前記固定主部とを連結すると共に前記第３方向において前記固定主部を前記取付対象から所定距離だけ離すようにして支持する支持部とを備えており、
前記支持部は、前記固定主部の下縁且つ前記被当接部の近傍から前記第１方向外側に延びた後、前記被取付部まで下側に延びており、
前記被当接部は、前記固定主部の前記第２方向先端の下縁近傍に位置しており、
前記固定主部は、平板状の形状を有している
カードエッジコネクタ。
【請求項２】
請求項１記載のカードエッジコネクタであって、
前記固定部は、前記バネ部よりも短く、
前記被当接部は、前記固定部の前記第２方向における端部に位置している
カードエッジコネクタ。
【請求項３】
請求項２記載のカードエッジコネクタであって、
前記被当接部は前記固定部の前記第３方向における端部に位置している
カードエッジコネクタ。
【請求項４】
請求項１乃至請求項３のいずれかに記載のカードエッジコネクタであって、
前記バネ部は、前記固定部と連続するバネ主部を有しており、
前記バネ主部は、前記第３方向において二つの縁部を有しており、
前記ラッチは、前記バネ部の前記縁部の一方から前記第１方向内側に張り出すように設けられており、前記第１方向と前記第３方向とで規定される面内においてＪ字状の断面を有している
カードエッジコネクタ。
【請求項５】
請求項４記載のカードエッジコネクタであって、
前記当接部は、前記バネ部の前記縁部の他方から前記第１方向内側に張り出すように設けられている
カードエッジコネクタ。
【請求項６】
請求項１乃至請求項５のいずれかに記載のカードエッジコネクタであって、
前記バネ部には、当該バネ部の前記第１方向外側への撓みを所定範囲内に止めるストッパが設けられており、
前記ストッパは、前記当接部の前記第１方向内側から前記第２方向に沿って突出した部位からなり、前記バネ部が前記第１方向外側へ撓んだ際に前記固定部に受け止められ、それによって前記バネ部の前記所定範囲を超える撓みを防止する
カードエッジコネクタ。
【請求項７】
請求項１乃至請求項６のいずれかに記載のカードエッジコネクタであって、
前記当接部は、前記第１方向及び前記第３方向の双方に斜交しており、前記第３方向において前記被当接部に当接した際に前記第１方向内側に向かう力と前記第３方向において前記被当接部から離れる方へ向かう力との合力を前記被当接部からの反力として受ける
カードエッジコネクタ。
【請求項８】
請求項１乃至請求項７のいずれかに記載のカードエッジコネクタであって、
前記固定部は、前記第１方向において前記バネ部の内側に位置している
カードエッジコネクタ。
【請求項９】
請求項１乃至請求項８のいずれかに記載のカードエッジコネクタであって、
前記被当接部は、前記固定主部に設けられている
カードエッジコネクタ。
【発明の詳細な説明】
【技術分野】
【０００１】
本発明は、メモリモジュールのようなエッジ近傍に端子の設けられたカードと接続するためのカードエッジコネクタ又はソケットに関する。
【背景技術】
【０００２】
この種のコネクタとしては、例えば、特許文献１に開示されたものがある。特許文献１のコネクタは、図１２に示されるように、印刷配線板（カード）から離れる向きに撓み片（バネ部）を撓ませたときに保持爪（ラッチ）の一部に当接して撓み片の撓み量を規制する係止片（ストッパ）が固定片（固定部）に設けられていることから、撓み片が過度に撓むのを防止することができる。
【先行技術文献】
【特許文献】
【０００３】
【特許文献１】特開平１１−１６６４６号公報
【発明の概要】
【発明が解決しようとする課題】
【０００４】
特許文献１のコネクタでは、接続状態にあるカードを無理に抜こうとした場合、ラッチが破損してしまったり、ラッチが破損しない場合であってもカードから外れてしまったりする可能性がある。
【０００５】
そこで、本発明は、カードの無理抜きを抑制し得る構造を有するカードエッジコネクタを提供することを目的とする。
【課題を解決するための手段】
【０００６】
本発明は、第１のカードエッジコネクタとして、
複数のコンタクトと、前記コンタクトを第１方向に並べて保持する保持部材と、前記第１方向において互いに離間するように前記保持部材に保持された一対のアーム部材とを備えたカードエッジコネクタであって、
前記アーム部材の夫々は、前記第１方向と直交する第２方向に延びており、且つ、前記カードエッジコネクタの取付対象に固定される固定部と、前記固定部と連続し且つ弾性を有するバネ部とを備えており、
前記固定部には、被当接部が設けられており、
前記バネ部は、前記第１方向外側に向かって開くことのできるように形成されており、
前記バネ部には、カードと前記カードエッジコネクタとの接続状態において前記カードのサイドエッジに係止するラッチと、前記カードエッジコネクタと接続した前記カードが前記第１方向及び前記第２方向の双方に直交する第３方向に前記ラッチを押圧して移動させようとしたときに前記第３方向において前記被当接部に当接して前記ラッチの移動を抑制する当接部とが設けられている
カードエッジコネクタを提供する。
【０００７】
また、本発明は、第２のカードエッジコネクタとして、第１のカードエッジコネクタであって、
前記固定部は、前記バネ部よりも短く、
前記被当接部は、前記固定部の前記第２方向における端部に位置している
カードエッジコネクタを提供する。
【０００８】
また、本発明は、第３のカードエッジコネクタとして、第２のカードエッジコネクタであって、
前記被当接部は前記固定部の前記第３方向における端部に位置している
カードエッジコネクタを提供する。
【０００９】
また、本発明は、第４のカードエッジコネクタとして、第１乃至第３のいずれかのカードエッジコネクタであって、
前記バネ部は、前記固定部と連続するバネ主部を有しており、
前記バネ主部は、前記第３方向において二つの縁部を有しており、
前記ラッチは、前記バネ部の前記縁部の一方から前記第１方向内側に張り出すように設けられており、前記第１方向と前記第３方向とで規定される面内においてＪ字状の断面を有している
カードエッジコネクタを提供する。
【００１０】
また、本発明は、第５のカードエッジコネクタとして、第４のカードエッジコネクタであって、
前記当接部は、前記バネ部の前記縁部の他方から前記第１方向内側に張り出すように設けられている
カードエッジコネクタを提供する。
【００１１】
また、本発明は、第６のカードエッジコネクタとして、第１乃至第５のいずれかのカードエッジコネクタであって、
前記バネ部には、当該バネ部の前記第１方向外側への撓みを所定範囲内に止めるストッパが設けられており、
前記ストッパは、前記当接部の前記第１方向内側から前記第２方向に沿って突出した部位からなり、前記バネ部が前記第１方向外側へ撓んだ際に前記固定部に受け止められ、それによって前記バネ部の前記所定範囲を超える撓みを防止する
カードエッジコネクタを提供する。
【００１２】
また、本発明は、第７のカードエッジコネクタとして、第１乃至第６のいずれかのカードエッジコネクタであって、
前記当接部は、前記第１方向及び前記第３方向の双方に斜交しており、前記第３方向において前記被当接部に当接した際に前記第１方向内側に向かう力と前記第３方向において前記被当接部から離れる方へ向かう力との合力を前記被当接部からの反力として受ける
カードエッジコネクタを提供する。
【００１３】
また、本発明は、第８のカードエッジコネクタとして、第１乃至第７のいずれかのカードエッジコネクタであって、
前記固定部は、前記第１方向において前記バネ部の内側に位置している
カードエッジコネクタを提供する。
【００１４】
また、本発明は、第９のカードエッジコネクタとして、第１乃至第８のいずれかのカードエッジコネクタであって、
前記固定部は、前記取付対象に取り付けられる被取付部と、前記バネ部と連続する固定主部と、前記被取付部と前記固定主部とを連結すると共に前記第３方向において前記固定主部を前記取付対象から所定距離だけ離すようにして支持する支持部とを備えている
カードエッジコネクタを提供する。
【００１５】
また、本発明は、第１０のカードエッジコネクタとして、第９のカードエッジコネクタであって、
前記被当接部は、前記固定主部に設けられている
カードエッジコネクタを提供する。
【発明の効果】
【００１６】
本発明によれば、カードを無理に抜こうとしてカードがラッチを第３方向（垂直方向、特に上方）に移動させようとしたときに被当接部が当接部に当接してラッチの移動を抑制することとしているため、カードの無理抜きを抑制しうる。
【図面の簡単な説明】
【００１７】
【図１】本発明の実施の形態によるカードエッジコネクタを示す斜視図である。
【図２】図１のカードエッジコネクタを示す分解斜視図である。
【図３】図１のカードエッジコネクタ及びメモリモジュールを示す斜視図である。ここで、カードエッジコネクタとメモリモジュールとは接続状態にある。
【図４】図３のカードエッジコネクタ及びメモリモジュールを示す上面図である。
【図５】図１のカードエッジコネクタに含まれるアーム部材を示す斜視図である。
【図６】図５のアーム部材の変形例を示す斜視図である。
【図７】図６のアーム部材を示す内側面図である。
【図８】図６のアーム部材を示す上面図である。
【図９】図６のアーム部材を示す正面図である。
【図１０】図４のカードエッジコネクタにおけるラッチとその近傍を示す拡大上面図である。
【図１１】図１０のカードエッジコネクタをXI--XI線に沿って示す断面図である。
【図１２】特許文献１のコネクタの要部を示す斜視図である。
【発明を実施するための形態】
【００１８】
図１乃至図４を参照すると、本発明の実施の形態によるカードエッジコネクタ１０は、相対的に大きな回路基板（マザーボード：取付対象）上に取り付け固定され、相対的に小さな回路基板６０上に複数の半導体パッケージ７０を搭載してなるカード５０と接続されるものである。より具体的には、カードエッジコネクタ１０は、ノートパソコンのように限られたスペース内においてカード５０をマザーボード（取付対象：図示せず）に多段接続する場合における外側（上段側）のカードエッジコネクタである。
【００１９】
図３及び図４に示されるように、本実施の形態によるカード５０は、具体的には、回路基板６０上に半導体パッケージ７０としてＤＲＡＭパッケージを搭載したメモリモジュールである。回路基板６０の先端のエッジ（接続エッジ）にはカードエッジコネクタ１０との接続用の複数の端子６２が設けられている。また、図３、図４及び図９に示されるように、回路基板６０のサイドエッジ６４には半円状の凹部６６が形成されている。なお、以下においては、説明を図面に即して行うため、Ｚ方向（第３方向）を垂直方向、＋Ｚ側を上側、−Ｚ側を下側ともいう。
【００２０】
図１及び図２に示されるように、カードエッジコネクタ１０は、金属製の複数の上段コンタクト１００及び下段コンタクト１１０と、絶縁体からなる保持部材２００と、金属製の一対のアーム部材３００とを備えている。保持部材２００は、Ｘ方向（第１方向）に長手を有するものであり、その上部にはＸ方向に長手を有し且つＹ方向（第２方向）において接続エッジを収容可能な開口部２１０が形成されており、更に、Ｘ方向における開口部２１０の両隣には圧入溝２２０が形成されている。保持部材２００は、複数の上段コンタクト１００をＸ方向（第１方向）に列設するように保持すると共に複数の下段コンタクト１１０をＸ方向に列設するように保持している。この保持により、上段コンタクト１００及び下段コンタクト１１０は、部分的に開口部２１０内に露出している。カードエッジコネクタ１０とカード５０との接続時においては、カード５０の接続エッジを開口部２１０に対して斜め上方から挿入した後、カード５０を水平位置まで回動させる。これにより、カード５０の端子６２とカードエッジコネクタ１０の上段コンタクト１００及び下段コンタクト１１０とを接続させることができる。アーム部材３００は、この接続状態を維持するためのものであり、以下に詳述するような構造を備えている。
【００２１】
図１及び図２にから理解されるように、アーム部材３００は、保持部材２００のＸ方向両端に位置する圧入溝２２０に圧入され、Ｙ方向に延びるように保持されている。特に、図２に示されるように、２つのアーム部材３００は、互いに鏡像関係となるように配置されている。即ち、２つのアーム部材３００は、Ｘ方向に直交するＹＺ面に対して対称となるように配置されている。
【００２２】
図５には、本実施の形態によるアーム部材３００が示されている。一方、図６乃至図９には、図５のアーム部材３００の変形例によるアーム部材３００′が示されている。図５のアーム部材３００と図６乃至図９のアーム部材３００′とで主に構造の相違するところは、後述する干渉部６３０，６３０′と当接部６４０，６４０′である。換言すると、変形例によるアーム部材３００′は、図５のアーム部材３００とほぼ同じ構造を有している。そこで、変形例によるアーム部材３００′と実施の形態によるアーム部材３００とに共通する要素については同じ参照符号を付すこととし、以下にまとめて説明することとする。
【００２３】
図５乃至図９を参照すると、アーム部材３００，３００′は、一枚の金属板を打ち抜き、且つ、打ち抜かれた金属板を曲げ加工して得られるものであり、保持部材２００の圧入溝２２０に圧入される圧入部４００と、マザーボード（取付対象：図示せず）に固定される固定部５００と、固定部５００と連続するバネ部６００とを有している。特に、本実施の形態のアーム部材３００及び変形例のアーム部材３００′においては、圧入部４００とバネ部６００とが連続している。また、バネ部６００は、弾性を有しており、Ｘ方向外側に向かって開くことのできるように形成されている。更に、本実施の形態のアーム部材３００及び変形例のアーム部材３００′が一枚の金属板を加工して形成したものであり、バネ部６００の先端には後述するようなラッチ６２０を設けなければならないことから、本実施の形態及び変形例による固定部５００は、図７から最も良く理解されるように、Ｙ方向においてバネ部６００よりも短い。
【００２４】
詳しくは、図５乃至図９に示されるように、固定部５００は、カードエッジコネクタ１０が搭載されるマザーボードに取り付けられる被取付部５１０と、バネ部６００と連続する固定主部５２０と、被取付部５１０と固定主部５２０とを連結する支持部５３０と、圧入部４００を圧入溝２２０に圧入する際に押圧する（力を加える）押圧部５４０とを有している。
【００２５】
図５、図６及び図８に示されるように、被取付部５１０はタブ状に形成されており、被取付部５１０には孔５１２が形成されている。この被取付部５１０は、マザーボードのパッド（取付対象：図示せず）にハンダ接続され、アーム部材３００，３００′をマザーボードに固定するためのものである。なお、被取付部５１０の孔５１２に固定用のネジを通してマザーボードにアーム部材３００，３００′を更に強固に固定することとしても良い。
【００２６】
カードエッジコネクタ１０は、前述のように、カード５０をマザーボード（取付対象：図示せず）に多段接続する場合における外側（上段側）のカードエッジコネクタであり（例えば、図３参照）、実使用時においては、カードエッジコネクタ１０に保持されたカード５０の下に他のカードを保持した他のカードエッジコネクタ（下段側のカードエッジコネクタ）が設けられることになる。そのため、本実施の形態及び変形例における固定部５００は、図５乃至図７及び図９に示されるように、固定主部５２０をマザーボードから所定距離だけ離すようにして支持する支持部５３０を有している。特に、図示された支持部５３０は、下段側のカードエッジコネクタとの干渉を避けるため、固定主部５２０の下縁５２０ｂからＸ方向外側に延びた後、被取付部５１０まで下側（−Ｚ側）に延びている。即ち、図９から最も良く理解されるように、本実施の形態及び変形例による支持部５３０は、ＸＺ平面内において逆Ｌ字状の断面を有している。但し、本発明はこのような固定部５００を有するカードエッジコネクタ１０に限定されるものではない。例えば、本発明を下段側のカードエッジコネクタに適用することもでき、その場合、支持部５３０は有しなくともよい。但し、本実施の形態や変形例のように支持部５３０を有しているカードエッジコネクタ１０の場合には、固定部５００の固定主部５２０が変位しやすく（ぐらつきやすく）なることから、本発明の概念を適用しないと、特許文献１の有する問題と同様の問題がより生じ易くなる。換言すると、本実施の形態や変形例のように支持部５３０を有しているカードエッジコネクタ１０に本発明の概念を適用すると、より本発明の効果を享受しやすい。
【００２７】
図５乃至図７に示されるように、固定主部５２０は、ＹＺ平面と平行でＹ方向に細長く延びた平板状の形状を有しており、その上縁５２０ａにおいてバネ部６００とつながっている。詳しくは、バネ部６００の弾性を確保するため、バネ部６００と固定主部５２０とは保持部材２００側でつながっている。固定部５００の固定主部５２０は、バネ部６００のＸ方向内側に位置している。そのため、本実施の形態によるカードエッジコネクタ１０とカード５０との接続状態において、バネ部６００とカード５０との間には固定主部５２０が位置しており、カード５０がバネ部６００に当たってしまうことがない。そのため、固定主部５２０がバネ部６００よりもＸ方向外側に位置する場合と比較して、誤って外れてしまうことが抑制されている。
【００２８】
図５乃至図７及び図９に示されているように、固定主部５２０のＹ方向先端の下縁５２０ｂ近傍には、被当接部５２５が設けられている。詳しくは、図７から最も良く理解されるように、本実施の形態及び変形例における被当接部５２５は、固定主部５２０のＹ方向先端の下縁５２０ｂ近傍の角部をＬ字状に切り欠くことで形成された切り欠きの上側の縁である。
【００２９】
図５、図６及び図８に示されるように、バネ部６００は、固定主部５２０と連続するバネ主部６１０と、ラッチ６２０、干渉部６３０，６３０′、当接部６４０，６４０′及びストッパ６５０とを有している。バネ主部６１０のＹＺ平面と平行でＹ方向に細長く延びた平板状の部位に対して屈曲部６１６を設けることにより、即ち、バネ主部６１０の全体長を長くしてバネ性を良くするようにしても、バネ部６００のＹ方向における長さを屈曲部６１６がない場合と比較してほぼ同じ長さにするようにしたものである。詳しくは、バネ主部６１０は、固定部５００（固定主部５２０）と連続する平板状の第１バネ部６１２と、ラッチ６２０を支持する平板状の第２バネ部６１４と、第１バネ部６１２と第２バネ部６１４とを連結する屈曲部６１６とを有している。屈曲部６１６は、Ｘ方向及びＹ方向の双方と斜交している。本実施の形態及び変形例における第１バネ部６１２と第２バネ部６１４とは互いに平行となるように屈曲部６１６により連結されている。ラッチ６２０及び干渉部６３０，６３０′は、バネ主部６１０のＹ方向先端近傍に設けられており、概略、固定主部５２０のＹ方向先端を越えた位置に位置している。当接部６４０，６４０′及びストッパ６５０は、概略、ラッチ６２０及び干渉部６３０，６３０′よりも保持部材２００よりであって固定主部５２０のＹ方向先端近傍に位置している。
【００３０】
図５乃至図１１に示されるように、ラッチ６２０は、カード５０とカードエッジコネクタ１０との接続状態においてカード５０の回路基板６０のサイドエッジ６４に係止するものである。ラッチ６２０がサイドエッジ６４に係止すると、カード５０とカードエッジコネクタ１０との接続状態が維持される。本実施の形態及び変形例によるラッチ６２０は、バネ主部６１０の上縁（縁部）６１０ａから延びる部分をＸ方向内側に張り出すように折り曲げて形成されたものであり、ＸＺ平面内においてＪ字状の断面を有している。かかる断面を有するラッチ６２０は、特許文献１のラッチのように縁でカードに接触するものと異なり、カード５０を無理に抜こうとした際に破損しにくい。
【００３１】
図５、図６及び図１０を参照すると、干渉部６３０，６３０′は、カード５０がカードエッジコネクタ１０と適切に接続していない場合にラッチ６２０がサイドエッジ６４に係止してしまうことを防ぐためのものである。図示された干渉部６３０，６３０′は、ラッチ６２０よりもバネ主部６１０の先端側に位置しており、バネ主部６１０の上縁６１０ａからＸ方向内側に向かって張り出している。この干渉部６３０，６３０′は、カード５０がカードエッジコネクタ１０と適切に接続した場合にはカード５０の回路基板６０に形成された凹部６６内に位置するが、カード５０がカードエッジコネクタ１０と適切に接続していない場合にはサイドエッジ６４と干渉してしまうように形成されている。干渉部６３０，６３０′がサイドエッジ６４と干渉してしまうと、ラッチ６２０がサイドエッジ６４に係止できないので、不適切な接続状態の維持がなされることはない。図５及び図６を比較すると、本実施の形態の干渉部６３０と変形例による干渉部６３０′とは、形状において互いに異なっているものの、上述したようなカード５０とカードエッジコネクタ１０との不適切な接続状態の維持の防止という機能を有する点においては共通している。
【００３２】
図５乃至図９並びに図１１に示されるように、当接部６４０，６４０′は、バネ主部６１０の下縁（縁部）６１０ｂからＸ方向内側に向かって延びる板状の部位であり、被当接部５２５の下側に部分的にもぐりこむように設けられている。例えば、カード５０を無理に抜こうとすると、カード５０がラッチ６２０を＋Ｚ方向（上方）に押圧して移動させようとする。このとき、本実施の形態や変形例によれば、当接部６４０，６４０′が被当接部５２５に当接することで、ラッチ６２０の＋Ｚ方向への移動が抑制され、少なくともラッチ６２０が簡単に外れてしまうようなことがない。
【００３３】
特に、本実施の形態による当接部６４０（図１乃至図５も参照）は、図１１に示されるように、Ｘ方向及びＺ方向の双方に斜交しており、Ｚ方向において当接部６４０が被当接部５２５に当接した際にＸ方向内側に向かう力と−Ｚ方向（Ｚ方向において被当接部５２５から離れる方向）へ向かう力との合力を被当接部５２５からの反力として受けるように構成されている。具体的には、当接部６４０は、バネ主部６１０の下縁６１０ｂから斜め上方であってＸ方向の内側に向かって延びている。このため、本実施の形態によるカードエッジコネクタ１０とカード５０との接続状態において、当接部６４０はカード５０の下側に位置しており、ラッチ６２０はカード５０の上側に位置している。また、上述した構造のため、当接部６４０は、被当接部５２５に当接した際に斜め下方であってＸ方向内側に向かう力を被当接部５２５から反力として受ける。そのため、ラッチ６２０を＋Ｚ方向へ移動させようとすると、当接部６４０が被当接部５２５から受ける反力により、ラッチ６２０もＸ方向内側に引き込まれることから、ラッチ６２０の意図しない係止解除を更に低減することができる。
【００３４】
これに対して、変形例によるアーム部材３００′（図６乃至図９を参照）の当接部６４０′は、図９に最も良く示されるように、Ｘ方向及びＺ方向の双方に斜交するようには形成されていない。このため、変形例によるアーム部材３００′（図６乃至図９）と本実施の形態によるアーム部材３００（図１乃至図５及び図１１参照）とを比較した場合、ラッチ６２０の意図しない係止解除の低減の観点からは、本実施の形態によるアーム部材３００の構造の方が好ましい。
【００３５】
図５、図６及び図８に示されるように、ストッパ６５０は、当接部６４０，６４０′のＸ方向内側から−Ｙ方向に沿って（即ち、Ｙ方向において保持部材２００に向かって）突出しており、バネ部６００の撓みの範囲である所定範囲を規定している。バネ部６００がＸ方向外側に過度に撓もうとしても、ストッパ６５０が固定部５００のＸ方向内側の面に受け止められ、それによって所定範囲を超えるバネ部６００の撓みが防止される。本実施の形態及び変形例において、ストッパ６５０と当接部６４０，６４０′とは非常に近接して設けられていることから、固定部５００のうちストッパ６５０の当たる部位は、固定主部５２０のＸ方向内側の面のうち被当接部５２５の直ぐ下側且つ−Ｙ方向側の部位である。本実施の形態及び変形例によるストッパ６５０は当接部６４０，６４０′に近接して設けられている。より具体的には、ストッパ６５０は当接部６４０，６４０′と同一片上に形成されている。しかしながら、本発明はこれに限定されるわけではなく、例えば、ストッパ６５０の機能を有する部位と当接部６４０，６４０′の機能を有する部位とを別々の片上に形成することとしてもよい。
【００３６】
以上、本発明の実施の形態及び変形例について具体的に説明してきたが、本発明はこれに限定されるものではない。例えば、上述した実施の形態や変形例において被当接部５２５は、固定主部５２０の下縁５２０ｂ且つＹ方向先端に形成されていたが、固定主部５２０の下縁５２０ｂから離れた位置に設けられていてもよい。即ち、被当接部５２５は、固定主部５２０の下縁５２０ｂと通じていなくともよい。また、被当接部５２５は、固定主部５２０のＹ方向先端に位置していなくともよく、例えば、固定主部５２０に対して矩形の孔を開けることとし、その上内縁を被当接部とすることとしてもよい。その場合、例えば、当接部は、バネ主部６１０から被当接部を構成する孔内を通るようにして形成された片であってもよい。この片は、例えば、Ｚ方向両端に縁が位置するように（即ち、上述した実施の形態及び変形例による当接部６４０，６４０′とは略直交するように）形成されていてもよく、その場合、上縁がＸ方向及びＺ方向の双方と斜交するように構成することとしてもよい。但し、被当接部５２５がラッチ６２０から離れると、カード５０の無理抜き防止効果が得られにくくなるので、被当接部５２５はラッチ６２０にできるだけ近い位置、即ち、固定主部５２０のＹ方向先端に形成されていることが望ましい。
【符号の説明】
【００３７】
１０        カードエッジコネクタ
５０        カード（メモリモジュール）
６０        回路基板
６２        端子
６４        サイドエッジ
６６        凹部
７０        半導体パッケージ
１００        上段コンタクト
１１０        下段コンタクト
２００        保持部材
２１０        開口部
２２０        圧入溝
３００，３００′        アーム部材
４００        圧入部
５００        固定部
５１０        被取付部
５１２        孔
５２０        固定主部
５２０ａ        上縁
５２０ｂ        下縁
５２５        被当接部
５３０        支持部
５４０        押圧部
６００        バネ部
６１０        バネ主部
６１０ａ        上縁（縁部）
６１０ｂ        下縁（縁部）
６１２        第１バネ部
６１４        第２バネ部
６１６        屈曲部
６２０        ラッチ
６３０，６３０′        干渉部
６４０，６４０′        当接部
６５０        ストッパ
【図１】
0005667436.tif 000002
【図２】
0005667436.tif 000003
【図３】
0005667436.tif 000004
【図４】
0005667436.tif 000005
【図５】
0005667436.tif 000006
【図６】
0005667436.tif 000007
【図７】
0005667436.tif 000008
【図８】
0005667436.tif 000009
【図９】
0005667436.tif 000010
【図１０】
0005667436.tif 000011
【図１１】
0005667436.tif 000012
【図１２】
0005667436.tif 000013